(57)【要約】  本発明はスイング練習用ゴルフクラブは、金属質感の球体でボールを打つという概念でスムーズなリズム感を身につけるので、実際のスイングでも正しいリズムで安定したスイング軌跡を保持することができて、ボールを目的の位置に正しく送ることができるようにしたもので、上端にハンドルを有するシャフトと、前記シャフトの下端に結合されるヘッドと、で構成され、前記ヘッドのフェースには金属材料の感じを有する球体を一体に形成したり、またはヘッドと着脱可能に備えて、練習スイングの過程で金属材料の球体でボールをスムーズに打撃するというイメージを提供することを特徴とする。
2020525068.tif 000002
【特許請求の範囲】
【請求項１】
上端にハンドル（１０１）を有するシャフト（１０２）と、前記シャフト（１０２）の下端に結合されるヘッド（１０３）と、で構成され、
前記ヘッド（１０３）には、金属材質の球体（１０５）を一体に形成したり、または金属質感を有する球体（１０５）をヘッド（１０３）と着脱可能に備えて、練習スイング過程で金属球体（１０５）でボールをスムーズに打撃するイメージを提供して、スムーズなスイングと安定したスイング軌道及びスイング姿勢を保持することができるようにすることを特徴とするスイング練習用ゴルフクラブ。
【請求項２】
前記球体（１０５）は、軽量材質で中央位置の底面で上側方向にヘッド（１０３）が挿入されることができるように形成するヘッド溝（１１１）と、前記ヘッド溝（１１１）の中のヘッド（１０３）のフェース（１０４）及びバックフェース（１０９）と連接されるフロント密着面（１１２）とリア密着面（１１３）には付着手段（１１５）を設けてヘッド（１０３）と着脱可能に構成することを特徴とする請求項１に記載のスイング練習用ゴルフクラブ。
【発明の詳細な説明】
【技術分野】
【０００１】
本発明はスイング練習用ゴルフクラブに関し、より詳しくは、利用者にイメージ及び想像を付与して、より簡単にスイングをすることができるように改善したスイング練習用ゴルフクラブの提供に関する。
【背景技術】
【０００２】
ゴルフは、ホールの一側に備えられるティーボックスにゴルフクラブの中で最も長いドライバーを利用してボールを打撃した後、必要に応じてウッドまたはアイアンを用いたセカンドショット及びサードショットをし、ティーボックスの対向位置のグリーンの近くに打ったり、グリーンに上げ、グリーンの近くではアプローチショットをして、グリーンにボールを上げ、グリーン上のボールはパターを用いて、ホールカップに入れるスポーツの一つである。
【０００３】
前記のようなゴルフをするためには、ゴルフクラブを利用したスイングが必要となり、このようなスイングは、バックスイング（Ｂａｃｋ  Ｓｗｉｎｇ）、インパクト（Ｉｍｐａｃｔ）、フォロースルー（Ｆｏｌｌｏｗ  Ｔｈｒｏｕｇｈ）につながるスイング姿勢を正しく保持することが非常に重要である。そこで、主にゴルフのスイング練習は常に正確なスイング姿勢を保持して、正確に打撃することが重要である。
【０００４】
このような理由により、正確かつ一定のスイング動作を保持するために継続的にクラブを利用してスイング練習を行う。どころが、大部分の利用者は肩に強い力が入ったり、スムーズなスイングができない場合、ボールをインパクト（Ｉｍｐａｃｔ）するときにボールを打撃する前に、体の回転とともに頭が上げられて回るヘッドアップ（Ｈｅａｄ  Ｕｐ）現象が発生してボールを正確に打撃することができなくなる。
【０００５】
特に、初心者はボールを打撃した後、ヘッドアップされたか、ボールを打撃する前に、ヘッドアップされたかを正確に把握することができなかったので、インパクトが行われる時にボールを正確に見ることができるようにする練習用ゴルフクラブの提案が切実に求められていることが実情であり、各種練習用クラブや道具またはデバイスが開発されて提供されている。
【０００６】
特許文献１の場合、シャフト１の上端にはグリップ３を固定し、下端にはヘッドウェイト２を固定したシャフト１にはウエイト４を移動自在に入れてボルト５で固定させることができるように構成したものが提供されている。
【０００７】
特許文献２の場合、ゴルフクラブヘッドの重量で形成された練習ヘッドの一側にシャフトを形成し、シャフトの他側に練習グリップを形成し、シャフトの一側に重量グリップを形成し、シャフトの他側端部に結合手段を形成した練習部と、前記練習部の他側に結合手段で結合されるように重量が調節される重量ヘッドを形成した重量部とを含んで構成したものがある。
【０００８】
技術文献３の場合、シャフト１１の上部にはグリップ１２が形成され、シャフト１１の下部にはクラブヘッド１０が結合され、前記クラブヘッド１０の内部には上部が開放された収納溝２０が形成され、収納溝２０にはＬＥＤランプ４１、バッテリー４２及び衝撃センサー４３が電気的回路によって連結された基板４０が管状の緩衝部材５０が被られて挿入され、クラブヘッド１０がゴルフボールを打撃すれば衝撃センサー４３の信号によってＬＥＤランプ４１が点灯されることができるようにしたゴルフクラブ１において、
前記収納溝２０の入口には透明キャップ３０が結合され、透明キャップ３０と収納溝２０の入口には螺旋部２０ａ、３０ａがそれぞれ形成されて互いにねじ結合され、透明キャップ３０の上面には幅の狭い溝３２が形成されて、ドライバーのような道具やコインによって透明キャップ３０を簡便に回転されるように構成したものがある。
【発明の概要】
【発明が解決しようとする課題】
【０００９】
前記のような従来技術が適用されたスイング練習用ゴルフクラブは、一般的なゴルフクラブのヘッド重量よりも重い重量体を有するようにして、実際ボールを打撃しないで、空振りのみをしながらヘッド重量を感じるようにするタイプと、スイング過程で点灯手段によってボールが打撃された時点を視覚的に確認するようにすることにより、ヘッドアップを防止することができるようにするタイプがある。
【００１０】
しかしながら、前者の場合、重量体を有する練習用道具やクラブで空振りをした後、実際クラブを握ってボールを打撃する練習をする時、クラブと練習用道具の重量の差により慣れていない利用者の場合にはむしろヘッドスピードが速くなるため、正確なリズム感覚を見つかることができなくて、スイングバランスが崩れるという良くない結果をもたらすことになる。
【００１１】
後者の場合、ボールを打撃する時に点灯手段を視覚的に確認することができるが、これも実際クラブを握ってボールを打撃する練習時には打撃時点を視覚的に確認できず、まず、ヘッドが回る現象を抑制できないため、実質的な効果を得ることができない。
【００１２】
また、いくら練習用道具を利用してたくさん練習をしても、実際クラブを握ってボールを打撃する練習時にはクラブのフェース面を通じてボールを打撃しなければならないという考えが支配的であり、本能的に平らなクラブフェースの面でボールを打撃しようとする作用が反射的に発生するため、クラブを手首や体の一部を利用して強く打撃しようとする現象が発生する。
【００１３】
前記のように、実際ボールが接触されるフェースが平らな状態であるため、スイング過程のインパクト動作時にボールとフェースが一緒に視界に入る時にもバックスイングの過程で体のねじれを自然に戻しながらクラブを握っている手と腕がボールがある位置に自然に投げられず、さらに強く力を与える現象から抜け出せないので、正しい姿勢を保持することが難しく、打撃されたボールの方向が一貫性を保持することができないなどの諸問題点が発生している実情である。
【課題を解決するための手段】
【００１４】
そこで、本発明では、前記のような問題点を解決するために発明されたものであり、上端にハンドルを有するシャフトと、前記シャフトの下端に結合されるヘッドとで構成され、
前記ヘッドのフェースには、金属材料の感じを有する球体を一体に形成したり、またはヘッドと着脱可能に備えて練習スイングの過程で金属材料の球体でボールをスムーズに打撃するというイメージを提供して、
スイング練習用ゴルフクラブは、金属質感の球体でボールを打つという概念でスムームなリズム感を身につけるので、実際のスイングでも正しいリズムで安定したスイング軌跡を保持することができて、ボールを目的の位置に正しく打撃することができるなどの目的を達成することができる。
【発明の効果】
【００１５】
本発明は、ゴルフクラブのフェース面に金属材料の感じを有する球体を一体にまたは着脱可能に備えて、練習スイング時に重量感のある球体でボールをスムーズに打撃するという感じ及びイメージを利用者に提供することにより、スイングの過程で不要に体を調整したり、力を加える現象を排除して、実際クラブでボールを打つ場合にもスムーズなスイングを誘導することができるという効果を奏する。
【００１６】
前記のように、金属材料の感じの球体でボールを打撃するイメージを提供してスイング練習をすることにより、正しいスイング姿勢とスイング軌道を保持することができ、スイングスピードを向上させて、実際ボールを打撃する時の方向性と飛距離を向上させることができるなど多様な効果を奏する発明である。
【図面の簡単な説明】
【００１７】
【図１】本発明の技術が適用されたスイング練習用ゴルフクラブを示した１例の斜視図である。
【図２】本発明の技術が適用されたスイング練習用ゴルフクラブを示した１例のＡ−Ａ線に沿う断面図である。
【図３】本発明の技術が適用されたスイング練習用ゴルフクラブを示した２例のヘッド部の抜粋分解斜視図である。
【図４】本発明の技術が適用されたスイング練習用ゴルフクラブを示した２例のＡ−Ａ線に沿う断面図である。
【発明を実施するための形態】
【００１８】
本発明の技術が適用されるスイング練習用ゴルフクラブ１００は、上端にハンドル１０１を有するシャフト１０２と、前記シャフト１０２の下端に結合されるヘッド１０３と、で構成され、前記ヘッド１０３のフェース１０４には金属材料の感じを有する球体１０５を一体に形成したり、またはヘッド１０３と着脱可能に備えて練習スイング過程で金属材料の球体１０５でボールをスムーズに打撃するというイメージを提供し、スムーズなスイングと安定したスイング軌道を保持することができるようにすることを特徴とする。
【００１９】
前記ヘッド１０３の形状はアイアン型またはウッド型、ユーティリティ型のドライバー型などのように実際ゴルファーが使用するクラブのヘッドと同じ形状を有するようにすることが練習スイング時に違和感感と拒否感を減らすことができるので好ましい。
【００２０】
また、ヘッド１０３と球体１０５を含む全体重量は、実際それぞれのクラブに対応するヘッド重量と同じにすることにより、練習スイングをした後、実際クラブでスイングをしても違和感がないようにすることがよく、ヘッド１０３と球体１０５の両方を金属材料で構成し、重量を合わせるために、内部に中空部を形成したり、プラスチックや非鉄金属などの材質で構成し、内部に重量を合わせるために重量体を内蔵する形でも構成が可能である。
【００２１】
前記ヘッド１０３に球体１０５を一体または着脱可能に備える際に、ヘッド１０３のソール１０６の部分とリーディングエッジ１０７は正常な形態を保持するようにすることにより、スイングのためのアドレス時、利用者がゴルフクラブ１００を取ったり元の位置に置いたとき、フェース１０４が地面（マット）とずれてしまうなどの現象がないようにすることが好ましい。
【００２２】
従って、球体１０５の最下位置はソール１０６の上部であるフェース１０４の下端部と離隔されるようにし、球体１０５の最上位置はヘッド１０３のトップライン１０８よりも上方に位置する形態の形状を有するようになる。
【００２３】
前記球体１０５の１例としては、ヘッド１０３のフェース１０４と、バックフェース１０９の位置に金属材料（一般金属、ステンレス鋼などのように、通常のゴルフクラブを作る材料）で鋳造またはダイカスト成形を通じて一体に形成するようにする。
【００２４】
この時、球体１０５を一体に有するヘッド１０３の内部には中空部１１０を形成して、元のゴルフクラブ１００のヘッド１０３が有する重量と同じ重量を有することができるように、ヘッド重量に合わせてヘッド１０３の重量の誤差範囲を逸脱しないようにすることにより、練習スイング及び実際スイングの違和感を排除することができるようにすることが好ましい。
【００２５】
前記ヘッド１０３を実際ゴルフクラブのヘッド重量と一致させるために、金属材料ではなく、非鉄材料で成形した後、一般的なゴルフクラブの色でヘッド１０３全体を塗装してもよい。
【００２６】
前記球体１０５の２例としては、全体的な重量の増加を防止することができるように、プラスチックまたは合成樹脂のような軽量材料で球体１０５を形成し、前記球体１０５の中央位置底面で上側方向にヘッド１０３が挿入されることができるヘッド溝１１１を形成し、前記ヘッド溝１１１の中のヘッド１０３のフェース１０４と、バックフェース１０９と連接されるフロント密着面１１２とリア密着面１１３には付着手段１１５を設けてヘッド１０３と着脱することができるようにする。
【００２７】
前記付着手段１１５は、球体１０５に一体に磁石をインサートして成形したり、球体１０５に磁石溝を形成した後、接着剤を用いて磁石を固定する形態を取ってもよい。
【００２８】
前記付着手段１１５は、ヘッド１０３がウッド型またはドライバー型である場合、球体１０５の大きさが大きいので、フロント密着面１１２及びリア密着面１１３の中央に大きく一つ備えてもいいが、フロント密着面１１２及びリア密着面１１３に１つ以上を均一に分布させて付着（結合）力を増大させるようにしてもよい。
【００２９】
前記付着手段１１５の他の例としては、ヘッド１０３と球体１０５にマジックテープ（登録商標）のような雌雄体を接着させた状態で着脱するようにしてもいいが、実際ゴルフクラブ１００を利用してスイング練習をする時スイングスピードが速いので、マジックテープタイプより磁石を利用することがより好ましい。
【００３０】
ヘッド１０３に球体１０５を一体に形成したスイング練習用ゴルフクラブ１００またはヘッド１０３に球体１０５を付着手段１１５を利用して結合したスイング練習用ゴルフクラブ１００を握って通常スイング練習をするようにスイング練習をすればいい。
【００３１】
それで、それぞれのクラブのヘッド重量に合わせられているので、不必要に重量感をより感じることもないので、スイング練習をした後、実際クラブでスイングをしても練習スイングのような自然なスイングが可能になる。
【００３２】
特に、練習スイングをする過程で、インパクト位置では、ヘッド１０３に一体に形成されたり、結合された球体１０５が視覚的に確認されるとともに、球体１０５が金属質感を有するように表現されるので、利用者の認識とイメージが重量感があるように認知されるので、スイングの過程でバックスイングトップからダウンスイングに転換する過程とインパクト瞬間まで過度に力を入れるという考えがなくなるので、自然にスイングをすることができる。
【００３３】
また、スイング練習用ゴルフクラブ１００のヘッド１０３に球体１０５をさらに有しても、実質的には、各クラブのヘッドに該当する重量を有していながら球体１０５のイメージのみで金属質感を感じるので、重量感がかなりあるように認知されて、スイング過程で過度に力を与えたり、スイングと関連する体を調整しなければならないという考えがなくなって、自然にスイングをすることができるようになる。
【００３４】
従って、継続的に練習スイングをした後、実際クラブでスイングをしても安定した正しいリズムとスイング軌跡を保持しながら、過度に力を加えずにスムーズで且つ自然にスイングが可能であり、下半身を支えながら骨盤の上部がねじれた状態で迅速に元に戻す過程でヘッドスピードが増大し、クラブ１００を握っている手と腕は自然にボール位置に投げられる形になるので、簡潔なスイングとともにボールストライキング力が増大させることができるようになる。
【００３５】
このような本発明は、第一に、常にクラブヘッドの重量が感じられる。第二に、ダウンスイング及びインパクトでクラブヘッドの重量で落としてゴルフボールと衝突させてボールを送る感じでスイングをするので、腕の力でスイングするという欠点を克服することができる。
【００３６】
第三に、目の前のクラブヘッドのスイング軌道がよく見える。第四に、鉄球が動く感じでスイングをするので、スイング軌道を不規則でなく簡潔にすることができる。第五に、フォロースルーでクラブヘッドを投げる感覚を見つけることができるが、これは重い鉄球を投げる感じであるので、腕を引っ張らずに伸ばしてヘッドが先に投げられ、体がついていくスイングをすることができる。
【００３７】
第六に、付加的に、クラブヘッドの重量で打撃するためにグリップを緩めて握る感覚を分かることができ、腕の力で調節することは困難であるので、下半身や腹筋の力で打つ練習が容易に行われる。
【産業上の利用可能性】
【００３８】
このような本発明のスイング練習用ゴルフクラブは、金属質感の球体でボールを打つという概念でスムーズなリズム感を身につけるので、実際のスイングでも正しいリズムで安定したスイング軌跡を保持することができ、ボールを目的とする位置に正しく送ることができるなどの利点を有する。
【図１】
2020525068.tif 000003
【図２】
2020525068.tif 000004
【図３】
2020525068.tif 000005
【図４】
2020525068.tif 000006
【国際調査報告】
2020525068.tif 000007
2020525068.tif 000008
2020525068.tif 000009
2020525068.tif 000010